(57)【要約】【課題】ショーケースの設置作業を簡易なものとすること。【解決手段】店舗１０に配設されたショーケース２０の冷凍機２３の排熱を処理するための装置であって、ショーケース２０は、冷凍機２３と熱交換を行うための空気が供給される給気口２４と、冷凍機２３と熱交換を行った空気を排出する排気口２５とがケース本体２０ａに形成され、店舗１０は、排気口２５を通じて排出された空気を外部に排出する排出口１１と、給気口２４に供給する空気を外部より導入する導入口１２とが形成され、少なくともケース本体２０ａの左右幅以上の幅寸法を有し、かつ上端部が店舗１０の天井面１０ａに接するとともに下端部がケース本体２０ａの上面に近接する態様で配設されることで排気口２５及び排出口１１を有する排気領域３０ａと、給気口２４及び導入口１２を有する給気領域３０ｂとを区画する第１パネル１３を備えている。【選択図】図１
2016145696.tif 000002
【特許請求の範囲】
【請求項１】
室の内部に配設されたショーケースに内蔵される冷凍機の排熱を処理するための装置であって、
前記ショーケースは、前記冷凍機と熱交換を行うための空気が供給される給気口と、前記冷凍機と熱交換を行った空気を排出する排気口とがケース本体に形成され、
前記室は、前記排気口を通じて排出された空気を外部に排出する排出口と、前記給気口に供給する空気を外部より導入する導入口とが形成されており、
少なくとも前記ケース本体の左右幅以上の幅寸法を有し、かつ上端部が前記室の天井面に接するとともに下端部が前記ケース本体の上面に近接する態様で配設されることで前記排気口及び前記排出口を有する排気領域と、前記給気口及び前記導入口を有する給気領域とを区画する区画部材を備えたことを特徴とする排熱処理装置。
【請求項２】
前記排気口は前記ケース本体の上面に形成され、前記給気口は前記ケース本体の上方側前面に形成されており、
少なくとも前記ケース本体の左右幅以上の幅寸法を有し、かつ前記ケース本体の前方側において上端部が前記室の天井面に接するとともに下端部が前記給気口の下縁部よりも下方に位置するカバー部材を備えたことを特徴とする請求項１に記載の排熱処理装置。
【請求項３】
前記区画部材は、前記下端部が自由端として揺動可能となる態様で前記天井面に設けてあることを特徴とする請求項１又は請求項２に記載の排熱処理装置。
【請求項４】
前記カバー部材は、前記下端部が自由端として揺動可能となる態様で前記天井面に設けてあることを特徴とする請求項２又は請求項３に記載の排熱処理装置。
【請求項５】
駆動することにより前記排気領域の空気を吸引して前記排出口を通じて外部に排出する排気手段を備えたことを特徴とする請求項１〜４のいずれか１つに記載の排熱処理装置。
【請求項６】
前記区画部材の左右両端部に接した状態で前記排気領域の左右両側域を覆うサイドカバー部材を備えたことを特徴とする請求項１〜５のいずれか１つに記載の排熱処理装置。
【発明の詳細な説明】
【技術分野】
【０００１】
本発明は、排熱処理装置に関し、より詳細には、例えば店舗等の室の内部に配設されたショーケースに内蔵される冷凍機の排熱を処理するための装置に関するものである。
【背景技術】
【０００２】
従来、収納対象となる商品を所望の温度状態に保持するショーケースとして、該商品を冷却するための蒸発器だけでなく、該蒸発器に冷媒を供給するとともに該蒸発器から冷媒を吸引する冷凍機を内蔵するものが知られている（例えば、特許文献１参照）。
【０００３】
このようなショーケースは、現地での配管工事が不要であり、設置が比較的容易であるというメリットがある。
【先行技術文献】
【特許文献】
【０００４】
【特許文献１】特開２００３−２０４８４７号公報
【発明の概要】
【発明が解決しようとする課題】
【０００５】
ところで、このようなショーケースを店舗等の室の内部に設置した場合には、ショーケースの冷凍機の排熱を室の外部に排出するために、外気をショーケースに導入する導入ダクトと、排熱を室の外部に送出する送出ダクトとを必要とし、結果的に、ショーケースの設置作業の煩雑化を招来する虞れがあった。
【０００６】
本発明は、上記実情に鑑みて、ショーケースの設置作業を簡易なものとすることができる排熱処理装置を提供することを目的とする。
【課題を解決するための手段】
【０００７】
上記目的を達成するために、本発明に係る排熱処理装置は、室の内部に配設されたショーケースに内蔵される冷凍機の排熱を処理するための装置であって、前記ショーケースは、前記冷凍機と熱交換を行うための空気が供給される給気口と、前記冷凍機と熱交換を行った空気を排出する排気口とがケース本体に形成され、前記室は、前記排気口を通じて排出された空気を外部に排出する排出口と、前記給気口に供給する空気を外部より導入する導入口とが形成されており、少なくとも前記ケース本体の左右幅以上の幅寸法を有し、かつ上端部が前記室の天井面に接するとともに下端部が前記ケース本体の上面に近接する態様で配設されることで前記排気口及び前記排出口を有する排気領域と、前記給気口及び前記導入口を有する給気領域とを区画する区画部材を備えたことを特徴とする。
【０００８】
また本発明は、上記排熱処理装置において、前記排気口は前記ケース本体の上面に形成され、前記給気口は前記ケース本体の上方側前面に形成されており、少なくとも前記ケース本体の左右幅以上の幅寸法を有し、かつ前記ケース本体の前方側において上端部が前記室の天井面に接するとともに下端部が前記給気口の下縁部よりも下方に位置するカバー部材を備えたことを特徴とする。
【０００９】
また本発明は、上記排熱処理装置において、前記区画部材は、前記下端部が自由端として揺動可能となる態様で前記天井面に設けてあることを特徴とする。
【００１０】
また本発明は、上記排熱処理装置において、前記カバー部材は、前記下端部が自由端として揺動可能となる態様で前記天井面に設けてあることを特徴とする。
【００１１】
また本発明は、上記排熱処理装置において、駆動することにより前記排気領域の空気を吸引して前記排出口を通じて外部に排出する排気手段を備えたことを特徴とする。
【００１２】
また本発明は、上記排熱処理装置において、前記区画部材の左右両端部に接した状態で前記排気領域の左右両側域を覆うサイドカバー部材を備えたことを特徴とする。
【発明の効果】
【００１３】
本発明によれば、少なくともケース本体の左右幅以上の幅寸法を有する区画部材が上端部が室の天井面に接するとともに下端部がケース本体の上面に近接する態様で配設されることで、排気口及び排出口を有する排気領域と、給気口及び導入口を有する給気領域とを区画するので、導入口を通じて導入された外気の大部分は給気領域を経由してから給気口を通じて冷凍機の周囲を通過しており、冷凍機との間で熱交換を行った空気の大部分は、排気領域に進入してその後に排出口より排出される。この結果、冷凍機に対する給気は給気領域を介して局所的に行われ、かつ排気は排気領域を介して局所的に行われている。従って、従来のようにダクト等を配設する必要がなく、ショーケースの設置作業を簡易なものとすることができるという効果を奏する。
【図面の簡単な説明】
【００１４】
【図１】図１は、本発明の実施の形態である排熱処理装置を模式的に示す説明図である。
【図２】図２は、図１のＡ−Ａ線断面図である。
【図３】図３は、本発明の実施の形態である排熱処理装置の変形例の要部を示す断面図である。
【発明を実施するための形態】
【００１５】
以下に添付図面を参照して、本発明に係る排熱処理装置の好適な実施の形態について詳細に説明する。
【００１６】
図１は、本発明の実施の形態である排熱処理装置を模式的に示す説明図であり、図２は、図１のＡ−Ａ線断面図である。ここで例示する排熱処理装置は、例えば店舗（室）１０の内部の側壁沿いに配設されたショーケース２０の排熱処理を行うものである。
【００１７】
このショーケース２０は、いわゆるオープンショーケースと称されるものであり、前面に開口が形成されたケース本体２０ａを備えている。このケース本体２０ａの内部には前面の開口を臨む収納室２１に商品を所望の温度状態に保持して収納するものである。
【００１８】
かかるショーケース２０においては、収納室２１の上方域に蒸発器２２及び冷凍機２３が設けてある。蒸発器２２は、収納室２１の内部空気を冷却するものである。冷凍機２３は、圧縮機２３ａと凝縮器２３ｂとを備えており、蒸発器２２に冷媒を供給するとともに該蒸発器２２から冷媒を吸引することで蒸発器２２と冷凍サイクルを構成するものである。図１中の符号２３ｃは、凝縮器２３ｂの近傍に配設された排熱ファンである。
【００１９】
また、上記ショーケース２０においては、ケース本体２０ａの上方側前面に給気口２４が形成してあるとともにケース本体２０ａの上面の後方側に排気口２５が形成してある。給気口２４は、冷凍機２３と熱交換を行うための空気が供給される開口である。排気口２５は、冷凍機２３と熱交換を行った空気を排出するための開口である。
【００２０】
上記店舗１０には、排出口１１、導入口１２が形成してあるとともに、第１パネル（区画部材）１３及び第２パネル（カバー部材）１４が設けてある。
【００２１】
排出口１１は、店舗１０の天井面１０ａであって、ショーケース２０の排気口２５の上方側となる部位に形成してある。この排出口１１は、排気口２５を通じて排出された空気を店舗１０の外部に排出するための開口である。この排出口１１の近傍には排気ファン（排気手段）１５が設けてある。排気ファン１５は、駆動指令が与えられて駆動することにより排出口１１の近傍の空気を吸引するものである。
【００２２】
導入口１２は、店舗１０の天井面１０ａであって、排気口２５よりも前方側、つまりショーケース２０よりも僅かに前方側となる部位に形成してある。この導入口１２は、給気口２４に供給する空気を外部より導入するための開口である。
【００２３】
第１パネル１３は、例えば樹脂やガラス、あるいは金属等で形成された矩形平板状のものである。この第１パネル１３は、図２にも示すように、ケース本体２０ａの左右幅よりも大きい幅寸法を有している。かかる第１パネル１３は、店舗１０の天井面１０ａであって排出口１１と導入口１２との間の部位に、上端部がヒンジ機構１３ａを介して設けてある。これにより第１パネル１３は、下端部が自由端として揺動可能となる態様で天井面１０ａに設けてある。
【００２４】
かかる第１パネル１３は、図１に示すように垂下姿勢となる場合に、下端部がショーケース２０のケース本体２０ａの上面に近接する大きさを有している。よって、第１パネル１３は、垂下姿勢となる場合に、排気口２５及び排出口１１を有する排気領域３０ａと、給気口２４及び導入口１２を有する給気領域３０ｂとを区画するものである。
【００２５】
第２パネル１４は、例えば樹脂やガラス、あるいは金属等で形成された矩形平板状のものである。この第２パネル１４は、図２にも示すように、ケース本体２０ａの左右幅よりも大きい幅寸法を有している。かかる第２パネル１４は、店舗１０の天井面１０ａであって導入口１２よりも前方側の部位、すなわちショーケース２０よりも前方側の部位に、上端部がヒンジ機構１４ａを介して設けてある。これにより第２パネル１４は、下端部が自由端として揺動可能となる態様で天井面１０ａに設けてある。
【００２６】
かかる第２パネル１４は、図１に示すように垂下姿勢となる場合に、下端部が給気口２４の下縁部よりも下方に位置する大きさを有している。
【００２７】
以上のような構成を有する排熱処理装置においては、第１パネル１３が垂下姿勢となることにより排気領域３０ａと給気領域３０ｂとを区画し、更に第２パネル１４が垂下姿勢となることにより、給気領域３０ｂは、第１パネル１３と第２パネル１４との挟まれた領域となる。
【００２８】
このような状態で排気ファン１５及び排熱ファン２３ｃが駆動すると、導入口１２を通じて導入された外気は、給気領域３０ｂに進入し、その後に給気口２４を通じてケース本体２０ａの内部に供給される。ケース本体２０ａの内部に供給された外気は、冷凍機２３の周囲を通過して該冷凍機２３と熱交換を行って高温なものとなり、そのまま排気口２５を通じて排気領域３０ａに進入する。
【００２９】
排気領域３０ａに進入した空気は、排気ファン１５に吸引されることで排出口１１より外部に排出される。
【００３０】
つまり、上記排熱処理装置では、導入口１２を通じて導入された外気の大部分は給気領域３０ｂを経由してから給気口２４を通じて冷凍機２３の周囲を通過しており、冷凍機２３との間で熱交換を行った空気の大部分は、排気領域３０ａに進入してその後に排出口１１より排出される。
【００３１】
このように上記排熱処理装置では、ショーケース２０の冷凍機２３に対する給気は給気領域３０ｂを介して局所的に行われ、かつ排気は排気領域３０ａを介して局所的に行われている。しかも第１パネル１３の左右幅は、ケース本体２０ａの左右幅よりも大きいので、排気領域３０ａの空気が第１パネル１３の左右両端域を回り込むことを抑制できる。
【００３２】
従って、上記排熱処理装置によれば、従来のようにダクト等を配設する必要がなく、ショーケース２０の設置作業を簡易なものとすることができる。特にダクト等を配設させることがないので、部品点数の削減も図ることができ、製造コストの低減化を図ることもできる。
【００３３】
上記排熱処理装置によれば、第２パネル１４が垂下姿勢となってショーケース２０の給気口２４の前方域を覆うので、給気領域３０ｂに進入した空気がショーケース２０の周囲に拡散等して該ショーケース２０の収納室２１で形成されるエアカーテンを阻害することを抑制できる。
【００３４】
上記排熱処理装置によれば、第１パネル１３及び第２パネル１４は揺動可能に設けてあるので、図１の二点鎖線で示すように第１パネル１３及び第２パネル１４を揺動させてこれら第１パネル１３及び第２パネル１４の清掃等を行うことができる。
【００３５】
以上、本発明の好適な実施の形態について説明したが、本発明はこれに限定されるものではなく、種々の変更を行うことができる。
【００３６】
上述した実施の形態では、第１パネル１３のみで排気領域３０ａと給気領域３０ｂとを区画していたが、本発明においては、図３に示すように、第１パネル１３の左右両端部に接した状態で左右一対のサイドカバー部材１６を配設することにより、排気領域３０ａの左右両側域を該サイドカバー部材１６で覆うことができ、排気領域３０ａをダクトに近似する構成にすることができる。
【００３７】
上述した実施の形態では、店舗１０の内部に１つのショーケース２０が配設された例を示したが、本発明においては、店舗等の室に複数台のショーケースが並設されてもよい。この場合には、室に形成される排出口や導入口は、ショーケースの数だけ必要ではない。つまり、複数の排気口と１つの排出口とを有する排気領域と、複数の給気口と１つの導入口とを有する給気領域とが区画部材で区画されればよい。
【００３８】
上述した実施の形態では、排出口１１及び導入口１２はいずれも店舗１０の天井面１０ａに形成されていたが、本発明においては、室の側壁面に排出口及び導入口が形成されてもよい。
【００３９】
上述した実施の形態では、第１パネル１３及び第２パネル１４は、ともに揺動可能なものであったが、本発明においては、区画部材及びカバー部材は、室の天井面から着脱可能に配設されたものであってもよい。これによっても、区画部材及びカバー部材を取り外して清掃等を行うことができる。
【００４０】
上述した実施の形態では、排気ファン１５が設けられていたが、本発明においては、排気手段は設けられていなくてもよい。
【符号の説明】
【００４１】
１０  店舗（室）
１０ａ  天井面
１１  排出口
１２  導入口
１３  第１パネル（区画部材）
１３ａ  ヒンジ機構
１４  第２パネル（カバー部材）
１４ａ  ヒンジ機構
１５  排気ファン
２０  ショーケース
２０ａ  ケース本体
２１  収納室
２２  蒸発器
２３  冷凍機
２３ａ  圧縮機
２３ｂ  凝縮器
２３ｃ  排熱ファン
２４  給気口
２５  排気口
３０ａ  排気領域
３０ｂ  給気領域
【図１】
2016145696.tif 000003
【図２】
2016145696.tif 000004
【図３】
2016145696.tif 000005